(57)【要約】  要約筆記支援システムは、筆記者によって行なわれる要約筆記を支援するためのシステムであり、筆記者が使用する端末装置２０と、端末装置２０に音声データを送信する情報配信装置１０とを備える。端末装置２０は、送信されてきた音声データを音声として再生する、音声再生部２１と、音声データの品質を検出する、品質検出部２２と、端末装置２０での音声再生の状況を検出する、再生状況検出部２３と、音声データの品質と音声再生の状況とを特定する情報を、情報配信装置１０に送信する、情報送信部２４と、を備えている。
2016114193.tif 000002
【特許請求の範囲】
【請求項１】
筆記者によって行なわれる要約筆記を支援するためのシステムであって、
前記筆記者が使用する端末装置と、前記端末装置に音声データを送信する情報配信装置と、を備え、
前記端末装置は、
前記情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする要約筆記支援システム。
【請求項２】
前記端末装置において、
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
請求項１に記載の要約筆記支援システム。
【請求項３】
前記情報送信部が、検出された前記音声データの品質と前記音声再生の状況とを特定する情報を、定期的に前記情報配信装置に送信する、
請求項１または２に記載の要約筆記支援システム。
【請求項４】
要約筆記を行なう筆記者が使用する端末装置であって、
当該端末装置に音声データを送信する情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする端末装置。
【請求項５】
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
請求項４に記載の端末装置。
【請求項６】
前記情報送信部が、検出された前記音声データの品質と前記音声再生の状況とを特定する情報を、定期的に前記情報配信装置に送信する、
請求項４または５に記載の端末装置。
【請求項７】
筆記者によって行なわれる要約筆記を支援するための方法であって、
（ａ）前記筆記者が使用する端末装置において、音声データを送信する情報配信装置から送信されてきた音声データを音声として再生する、ステップと、
（ｂ）前記端末装置において、前記音声データの品質を検出する、ステップと、
（ｃ）前記端末装置において、そこでの音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を有することを特徴とする要約筆記支援方法。
【請求項８】
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
請求項７に記載の要約筆記支援方法。
【請求項９】
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
請求項７または８に記載の要約筆記支援方法。
【請求項１０】
筆記者が使用するコンピュータによって、前記筆記者によって行なわれる要約筆記を支援するためのプログラムを記録したコンピュータ読み取り可能な記録媒体であって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる命令を含む、プログラムを記録したコンピュータ読み取り可能な記録媒体。
【請求項１１】
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
請求項１０に記載のコンピュータ読み取り可能な記録媒体。
【請求項１２】
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
請求項１０または１１に記載のコンピュータ読み取り可能な記録媒体。
【発明の詳細な説明】
【技術分野】
【０００１】
本発明は、話者の要約筆記を支援するための、要約筆記支援システム、それに用いられる端末装置、要約筆記支援方法、及びこれらを実現するためのプログラムを記録したコンピュータ読み取り可能な記録媒体に関する。
【背景技術】
【０００２】
両耳の聴力がマイナス１００デシベル以上の聴覚障がい者（以下、単に「聴覚障がい者」と記す）は、補聴器等を付けても、ほとんど音声中の言語情報を受けとることができない。このため従来から、聴覚障がい者が講演及び学校での授業等を聴講する場合、手話通訳者を付ける場合と、要約筆記を行なう筆記者を付ける場合とがあった。【０００３】
このうち、筆記者を付ける場合には、通常、聴覚障がい者１人に対して、例えば学校での授業であれば、筆記者が２人以上付けられる。そして、これらの筆記者は、先生の話す内容などを、ＰＣ（Personal Computer）又は紙のノート等によって文字化し、これを聴覚障がい者に対して提示する。なお、筆記者が２人以上必要となるのは、要約筆記作業は負担が大きく、１人では要約精度が低下しやすいからである。【０００４】
ところで、１８歳以下の聴覚障がい学生が平成２０年度の厚生労働省の調べでは全国で約２万人存在し、それに対し、正式に登録されている要約筆記通訳者は全国で約１万人である。その上で、聴覚障がい学生１人に対して２人以上の要約筆記通訳者が付くとすると、支援を受けることが可能な聴覚障がい学生は、単純に計算して１／４である。さらに、地域によって要約筆記者の数及び聴覚障がい学生の数には、ばらつきがある。これらの理由から、より少ない人数の聴覚障がい学生しか、学校において支援を受けることが出来ないのが現状であり、筆記者が不足しているという問題がある。【０００５】
そこで、要約筆記を行う際に、筆記者が、聴覚障がい者の隣席まで行かなくても支援を行なえるようにするシステムが必要となる。例えば、特許文献１及び２に開示されたシステムは、情報配信装置によって、遠隔地にいる筆記者の端末装置に、インターネット等のネットワークを介して、話者の音声と映像とを配信する。また、このシステムは、筆記者が要約筆記を行なってテキストデータを作成すると、このテキストデータを、インターネットを介して、教室等に設置された表示装置の画面に表示する。特許文献１及び２に開示されたシステムによれば、筆記者が不足しているという問題の解消に貢献できると考えられる。
【先行技術文献】
【特許文献】
【０００６】
【特許文献１】特開２００２−０６４６３４号公報
【特許文献２】特開２０１２−２１５９６２号公報
【発明の概要】
【発明が解決しようとする課題】
【０００７】
ところで、特許文献１及び２に開示されたシステムでは、話者の音声は、聴覚障がい者側にある装置から、要約筆記通訳者の端末装置へと送信されるが、ネットワークの障害等によって一部の音声の品質が低下する場合がある。また、端末装置における状態により、音声が出力されていない場合もある。このような場合が発生すると、要約筆記通訳者が作成するテキストデータが不十分なものとなってしまうの。このため、聴覚障がい者が、音声の品質、更には音声出力の状況を確認できる、仕組みが求められている。【０００８】
本発明の目的の一例は、上記問題を解消し、要約筆記の提供を受ける側において、要約筆記側での音声の品質及び音声出力の状況を確認できるようにし得る、要約筆記支援システム、端末装置、要約筆記支援方法、及びコンピュータ読み取り可能な記録媒体を提供することにある。
【課題を解決するための手段】
【０００９】
上記目的を達成するため、本発明の一側面における要約筆記支援システムは、筆記者によって行なわれる要約筆記を支援するためのシステムであって、
前記筆記者が使用する端末装置と、前記端末装置に音声データを送信する情報配信装置と、を備え、
前記端末装置は、
前記情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする。【００１０】
上記目的を達成するため、本発明の一側面における端末装置は、要約筆記を行なう筆記者が使用する端末装置であって、
当該端末装置に音声データを送信する情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする。【００１１】
また、上記目的を達成するため、本発明の一側面における要約筆記支援方法は、筆記者によって行なわれる要約筆記を支援するための方法であって、
（ａ）前記筆記者が使用する端末装置において、音声データを送信する情報配信装置から送信されてきた音声データを音声として再生する、ステップと、
（ｂ）前記端末装置において、前記音声データの品質を検出する、ステップと、
（ｃ）前記端末装置において、そこでの音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を有することを特徴とする。【００１２】
更に、上記目的を達成するため、本発明の一側面におけるコンピュータ読み取り可能な記録媒体は、筆記者が使用するコンピュータによって、前記筆記者によって行なわれる要約筆記を支援するためのプログラムを記録したコンピュータ読み取り可能な記録媒体であって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる命令を含む、プログラムを記録していることを特徴とする。
【発明の効果】
【００１３】
以上のように本発明によれば、要約筆記の提供を受ける側において、要約筆記側での音声の品質及び音声出力の状況を確認できるようにすることができる。
【図面の簡単な説明】
【００１４】
【図１】図１は、本発明の実施の形態における要約筆記支援システム及び端末装置の概略構成を示す図である。
【図２】図２は、本発明の実施の形態における要約筆記支援システム及び端末装置の具体的構成を示すブロック図である。
【図３】図３は、本発明の要約筆記支援システムを構成する端末装置の動作を示すフロー図である。
【図４】図４は、本発明の要約筆記支援システムを構成する情報配信装置の動作を示すフロー図である。
【図５】図５は、本発明の実施の形態における情報配信装置又は端末装置を実現するコンピュータの一例を示すブロック図である。
【発明を実施するための形態】
【００１５】
（実施の形態）
以下、本発明の実施の形態における、要約筆記支援システム、端末装置、要約筆記支援方法、及びプログラムについて、図１〜図５を参照しながら説明する。
【００１６】
［システム構成］
最初に、図１を用いて、本発明の実施の形態における要約筆記支援システム及び端末装置の概略構成について説明する。図１は、本発明の実施の形態における要約筆記支援システム及び端末装置の概略構成を示す図である。 
【００１７】
図１に示す、本実施の形態における要約筆記支援システム１００は、筆記者５０によって行なわれる要約筆記を支援するためのシステムである。要約筆記支援システム１００は、情報配信装置１０と、筆記者５０が使用する端末装置２０とを備えている。なお、本実施の形態では、２人の筆記者によって要約筆記が行なわれるため、２つの端末装置２０が用いられている。
【００１８】
情報配信装置１０は、端末装置２０に音声データを送信するための装置であり、ネットワーク６０を介して、端末装置２０に接続されている。また、情報配信装置１０には、音声を収集するための集音装置１１と、ユーザ４０に要約筆記の結果を提示するための情報表示装置１２と接続されている。なお、集音装置１１の具体例としては、マイクが挙げられる。また、情報表示装置１２の具体例としては、液晶表示ディスプレイといったディスプレイ装置が挙げられる。
【００１９】
端末装置２０は、音声再生部２１と、品質検出部２２と、再生状況検収部２３と、情報送信部２４とを備えている。このうち、音声再生部２１は、情報配信装置１０から送信されてきた音声データを音声として再生する。また、品質検出部２２は、音声データの品質を検出する。再生状況検出部２３は、端末装置２０での音声再生の状況を検出する。更に、情報送信部２４は、検出された音声データの品質と音声再生の状況とを特定する音声出力情報を、情報配信装置１０に送信する。
【００２０】
このような構成により、情報配信装置１０は、筆記者５０が使用する端末装置２０から、音声出力情報を受け取ることができるので、ユーザ４０に、音声の品質及び音声の再生状況を提示することができる。よって、要約筆記支援システム１００によれば、要約筆記の提供を受ける側において、要約筆記側での音声の品質及び音声出力の状況を確認することが可能となる。
【００２１】
ここで、図２を用いて、本実施の形態における要約筆記支援システム１００及び端末装置１０の構成を更に具体的に説明する。図２は、本発明の実施の形態における要約筆記支援システム及び端末装置の具体的構成を示すブロック図である。なお、図２の例では、説明のため、ネットワーク及び一方の端末装置の構成の図示については省略している。
【００２２】
図２に示すように、本実施の形態では、情報配信装置１０は、音声データ取得部１３と、データ送信部１４と、データ受信部１５と、データ表示部１６とを備えている。
【００２３】
音声データ取得部１３は、集音装置１１によってデジタル処理された音声データを取得し、更に、取得した音声データを圧縮し、圧縮後の音声データをデータ送信部１４に入力する。データ送信部１４は、入力された音声データを、送信可能な形式に変換し、変換後の音声データを、ネットワーク６０（図２において図示せず）を介して端末装置２０に送信する。具体的には、データ送信部１４は、音声データから、送信用のパケットデータを生成する。
【００２４】
データ受信部１５は、端末装置２０から、ネットワーク６０を介して送信されてくる音声出力情報を受信する。また、実施の形態では、後述するように、端末装置２０は、情報配信装置１０に対して、要約筆記の結果としてテキストデータも送信するため、データ受信部１５は、このテキストデータも受信する。そして、データ受信部１５は、音声出力情報とテキストデータとを、データ表示部１６に入力する。
【００２５】
データ表示部１６は、入力された音声出力情報とテキストデータとを用いて、これらを表示する画面用の画像データを生成し、生成した画像データを情報表示装置１２に入力する。これにより、情報表示装置１２は、画面上に、音声出力情報とテキストデータとを表示する。
【００２６】
また、図２に示すように、端末装置２０は、本実施の形態では、音声再生部２１、品質検出部２２、再生状況検収部２３、及び情報送信部２４に加えて、音声データ受信部２５と、テキストデータ取得部２６とを備えている。また、端末装置２０には、スピーカ２７と、キーボード等の入力装置２８とが接続されている。テキストデータ取得部２６は、筆記者５０が入力装置２８から入力したテキストデータを受け取り、受け取ったテキストデータを情報送信部２４に入力する。
【００２７】
音声データ受信部２５は、情報配信装置１０のデータ送信部１４から送信されてくる音声データを受信し、その形式を元に戻す。具体的には、音声データ受信部２５は、音声データのパケットデータを受信し、これらをつなぎ合わせて元の音声データに復元する。そして、音声データ受信部２５は、形式変換後の音声データを音声再生部２１に入力する。
【００２８】
音声再生部２１は、本実施の形態では、音声データ受信部２５から入力された音声データがデジタル信号であるため、入力された音声データをアナログ信号に変換する。そして、音声再生部２１は、変換後のアナログ信号をスピーカ２７に出力する。これにより、筆記者５０は、ユーザ４０側で収集された音声を聞くことができる。
【００２９】
品質検出部２２は、本実施の形態では、音声データ受信部２５から、音声データを取得し、音声データの品質として、取得した音声データのレベルを連続して検出する。また、品質検出部２２は、検出した音声データのレベルを特定するデータ（以下「レベル検出データ」と表記する。）を、情報送信部２４に入力する。
【００３０】
再生状況検出部２３は、本実施の形態では、音声再生部２１に接続されており、音声再生の状況として、音声再生部２１とスピーカ２７との間での電気的接続の有無、及び端末装置２０における消音設定の有無を検出する。また、再生状況検出部２３は、検出結果を特定するデータ（以下「再生状況検出データ」と表記する。）を、情報送信部２４に入力する。
【００３１】
情報送信部２４は、レベル検出データ、再生状況検出データ、及びテキストデータのうち少なくとも１つが入力されると、入力されたデータを情報配信装置１０に送信する。なお、本実施の形態では、レベル検出データ及び再生状況検出データが、上述した音声出力情報に該当する。
【００３２】
また、本実施の形態では、情報送信部２４は、情報配信装置１０からの音声データの送信タイミングに影響されることなく、レベル検出データ、再生状況検出データ、及びテキストデータを、定期的に情報配信装置１０に送信する。このため、例えば、単に音声が発せられていない状況では、レベルが小さいことを示す検出データと、電気的接続有及び消音設定無を示す再生状況検出データと、空白のテキストデータとが送信されてくることになる。よって、ユーザ４０は、例え、聴覚障がい者であっても、このような単に音声が発せられていない状況であることを知ることができる。
【００３３】
［システム動作］
次に、本発明の実施の形態における要約筆記支援システムの動作について図３及び図４を用いて説明する。また、以下の説明においては、適宜図１及び図２を参酌する。更に、本実施の形態では、要約筆記支援システム１００を動作させることによって、要約筆記支援方法が実施される。よって、本実施の形態における要約筆記支援方法の説明は、以下の要約筆記支援システム１００の動作説明に代える。
【００３４】
端末装置の動作：
最初に、図３を用いて、本実施の形態における端末装置２０の動作について説明する。図３は、本発明の要約筆記支援システムを構成する端末装置の動作を示すフロー図である。なお、端末装置２０では、図３に示す処理と平行して、音声データ受信部２５による音声データの受信と、音声再生部２１による音声データの再生とが実行されているものとする。
【００３５】
図４に示すように、品質検出部２２は、音声データ受信部２５から、音声データを取得し、音声データの品質として、取得した音声データのレベルを検出する（ステップＡ１）。また、ステップＡ１では、品質検出部２２は、検出した音声データのレベルを特定するレベル検出データを、情報送信部２４に入力する。
【００３６】
次に、再生状況検出部２３は、音声再生部２１とスピーカ２７との間での電気的接続の有無を検出する（ステップＡ２）。更に、再生状況検出部２３は、端末装置２０における消音設定の有無も検出する（ステップＡ３）。また、再生状況検出部２３は、ステップＡ２及びＡ３で得た検出結果を特定する再生状況検出データを、情報送信部２４に入力する。
【００３７】
次に、テキストデータ取得部２６は、筆記者５０が入力装置２８から入力したテキストデータを受け取り、受け取ったテキストデータを情報送信部２４に入力する（ステップＡ４）。
【００３８】
次に、情報送信部２４は、レベル検出データ、再生状況検出データ、及びテキストデータの少なくとも１つが入力されると、入力されたデータを情報配信装置１０に送信する（ステップＡ５）。
【００３９】
また、ステップＡ１〜Ａ５は繰り返し実行され、レベル検出データ、再生状況検出データ、及びテキストデータは、定期的に情報配信装置１０に送信される。また、ステップＡ１〜Ａ４の実行順序は限定されるものではなく、各ステップは平行して実行されていても良い。
【００４０】
情報配信装置の動作：
続いて、図４を用いて、本実施の形態における情報配信装置１０の動作について説明する。図４は、本発明の要約筆記支援システムを構成する情報配信装置の動作を示すフロー図である。なお、情報配信装置１０では、図４に示す処理と平行して、音声データ取得部１３による音声データの取得と、データ送信部１４による音声データの送信とが実行されているものとする。
【００４１】
図４に示すように、データ受信部１５は、端末装置２０から、ネットワーク６０を介して送信されてくる、レベル検出データ、再生状況検出データ、及びテキストデータを受信する（ステップＢ１）。また、データ受信部１５は、受信したデータを、データ表示部１６に入力する。
【００４２】
次に、データ表示部１６は、データ受信部１５から入力された、レベル検出データ、再生状況検出データ、及びテキストデータを用いて、これらを表示する画面用の画像データを生成し、生成した画像データを情報表示装置１２に入力する（ステップＢ２）。具体的には、データ表示部１６は、音声データのレベルの時系列変化、電気的接続の有無、消音設定の有無、及び筆記者５０が入力したテキストが表示されるように、画像データを生成する。
【００４３】
次に、データ表示部１６は、情報表示装置１２に画像データを入力して、情報表示装置１２の画面に、この画像データによって特定される画像を表示させる（ステップＢ３）。また、ステップＢ１〜Ｂ３は、端末装置２０からデータが送信される度に、繰り返し実行される。
【００４４】
［実施の形態による効果］
以上のように本実施の形態では、端末装置２０から情報配信装置１０へと、レベル検出データ、再生状況検出データ、及びテキストデータが送信される。よって、本実施の形態によれば、ユーザ４０は、要約筆記の結果を確認しつつ、要約筆記側での音声の品質及び音声出力の状況も確認できる。
【００４５】
［プログラム］
本実施の形態における第１のプログラムは、コンピュータに、図３に示すステップＡ１〜Ａ５を実行させるプログラムであれば良い。このプログラムをコンピュータにインストールし、実行することによって、本実施の形態における端末装置２０を実現することができる。コンピュータのＣＰＵ（Central Processing Unit）は、音声再生部２１、品質検出部２２、再生状況検収部２３、情報送信部２４、音声データ受信部２５及びテキストデータ取得部２６として機能し、処理を行なう。
【００４６】
また、本実施の形態における第２のプログラムは、コンピュータに、図４に示すステップＢ１〜Ｂ３を実行させるプログラムであれば良い。このプログラムをコンピュータにインストールし、実行することによって、本実施の形態における情報配信装置１０を実現することができる。コンピュータのＣＰＵ（Central Processing Unit）は、データ取得部１３、データ送信部１４、データ受信部１５及びデータ表示部１６として機能し、処理を行なう。
【００４７】
ここで、本実施の形態におけるプログラムを実行することによって、情報配信装置１０又は端末装置２０を実現するコンピュータについて図５を用いて説明する。図５は、本発明の実施の形態における情報配信装置又は端末装置を実現するコンピュータの一例を示すブロック図である。
【００４８】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００４９】
ＣＰＵ１１１は、記憶装置１１３に格納された、本実施の形態における第１又は第２のプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５０】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５１】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５２】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００５３】
また、上述した実施の形態の一部又は全部は、以下に記載する（付記１）〜（付記１２）によって表現することができるが、以下の記載に限定されるものではない。
【００５４】
（付記１）
筆記者によって行なわれる要約筆記を支援するためのシステムであって、
前記筆記者が使用する端末装置と、前記端末装置に音声データを送信する情報配信装置と、を備え、
前記端末装置は、
前記情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする要約筆記支援システム。
【００５５】
（付記２）
前記端末装置において、
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
付記１に記載の要約筆記支援システム。
【００５６】
（付記３）
前記情報送信部が、検出された前記音声データの品質と前記音声再生の状況とを特定する情報を、定期的に前記情報配信装置に送信する、
付記１に記載の要約筆記支援システム。
【００５７】
（付記４）
要約筆記を行なう筆記者が使用する端末装置であって、
当該端末装置に音声データを送信する情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする端末装置。
【００５８】
（付記５）
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
付記４に記載の端末装置。
【００５９】
（付記６）
前記情報送信部が、検出された前記音声データの品質と前記音声再生の状況とを特定する情報を、定期的に前記情報配信装置に送信する、
付記４に記載の端末装置。
【００６０】
（付記７）
筆記者によって行なわれる要約筆記を支援するための方法であって、
（ａ）前記筆記者が使用する端末装置において、音声データを送信する情報配信装置から送信されてきた音声データを音声として再生する、ステップと、
（ｂ）前記端末装置において、前記音声データの品質を検出する、ステップと、
（ｃ）前記端末装置において、そこでの音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を有することを特徴とする要約筆記支援方法。
【００６１】
（付記８）
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
付記７に記載の要約筆記支援方法。
【００６２】
（付記９）
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
付記７に記載の要約筆記支援方法。
【００６３】
（付記１０）
筆記者が使用するコンピュータによって、前記筆記者によって行なわれる要約筆記を支援するためのプログラムを記録したコンピュータ読み取り可能な記録媒体であって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる命令を含む、プログラムを記録したコンピュータ読み取り可能な記録媒体。      
【００６４】
（付記１１）
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
付記１０に記載のコンピュータ読み取り可能な記録媒体。
【００６５】
（付記１２）
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
付記１０に記載のコンピュータ読み取り可能な記録媒体。
【００６６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６７】
この出願は、２０１５年１月１６日に出願された日本出願特願２０１５−００６４１２を基礎とする優先権を主張し、その開示の全てをここに取り込む。
【産業上の利用可能性】
【００６８】
以上のように本発明によれば、要約筆記の提供を受ける側において、要約筆記側での音声の品質及び音声出力の状況を確認できるようにすることができる。本発明は、要約筆記の分野において有用である。
【符号の説明】
【００６９】
１０  情報配信装置
１１  集音装置
１２  情報表示装置
１３  音声データ取得部
１４  データ送信部
１５  データ受信部
１６  データ表示部
２０  端末装置
２１  音声再生部
２２  品質検出部
２３  再生状況検出部
２４  情報送信部
２５  音声データ受信部
２６  テキストデータ取得部
２７  スピーカ
２８  入力装置
１００  要約筆記支援システム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2016114193.tif 000003
【図２】
2016114193.tif 000004
【図３】
2016114193.tif 000005
【図４】
2016114193.tif 000006
【図５】
2016114193.tif 000007
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
筆記者によって行なわれる要約筆記を支援するためのシステムであって、
前記筆記者が使用する端末装置と、前記端末装置に音声データを送信する情報配信装置と、を備え、
前記端末装置は、
前記情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする要約筆記支援システム。
【請求項２】
前記端末装置において、
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
請求項１に記載の要約筆記支援システム。
【請求項３】
前記情報送信部が、検出された前記音声データの品質と前記音声再生の状況とを特定する情報を、定期的に前記情報配信装置に送信する、
請求項１または２に記載の要約筆記支援システム。
【請求項４】
要約筆記を行なう筆記者が使用する端末装置であって、
当該端末装置に音声データを送信する情報配信装置から送信されてきた音声データを音声として再生する、音声再生部と、
前記音声データの品質を検出する、品質検出部と、
当該端末装置での音声再生の状況を検出する、再生状況検出部と、
検出された前記音声データの品質と前記音声再生の状況とを特定する情報を、前記情報配信装置に送信する、情報送信部と、を備えている、
ことを特徴とする端末装置。
【請求項５】
前記品質検出部が、前記音声データの品質として、前記音声データのレベルを連続して検出し、
前記再生状況検出部が、前記音声再生の状況として、前記音声再生部とスピーカとの間での電気的接続の有無、及び当該端末装置における消音設定の有無を検出する、
請求項４に記載の端末装置。
【請求項６】
前記情報送信部が、検出された前記音声データの品質と前記音声再生の状況とを特定する情報を、定期的に前記情報配信装置に送信する、
請求項４または５に記載の端末装置。
【請求項７】
筆記者によって行なわれる要約筆記を支援するための方法であって、
（ａ）前記筆記者が使用する端末装置において、音声データを送信する情報配信装置から送信されてきた音声データを音声として再生する、ステップと、
（ｂ）前記端末装置において、前記音声データの品質を検出する、ステップと、
（ｃ）前記端末装置において、そこでの音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を有することを特徴とする要約筆記支援方法。
【請求項８】
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
請求項７に記載の要約筆記支援方法。
【請求項９】
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
請求項７または８に記載の要約筆記支援方法。
【請求項１０】
筆記者が使用するコンピュータによって、前記筆記者によって行なわれる要約筆記を支援するためのプログラムであって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる、プログラム。
【請求項１１】
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
請求項１０に記載のプログラム。
【請求項１２】
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
請求項１０または１１に記載のプログラム。
【手続補正３】
【補正対象書類名】明細書
【補正対象項目名】０００１
【補正方法】変更
【補正の内容】
【０００１】
本発明は、話者の要約筆記を支援するための、要約筆記支援システム、それに用いられる端末装置、要約筆記支援方法、及びこれらを実現するためのプログラムに関する。
【手続補正４】
【補正対象書類名】明細書
【補正対象項目名】０００８
【補正方法】変更
【補正の内容】
【０００８】
本発明の目的の一例は、上記問題を解消し、要約筆記の提供を受ける側において、要約筆記側での音声の品質及び音声出力の状況を確認できるようにし得る、要約筆記支援システム、端末装置、要約筆記支援方法、及びプログラムを提供することにある。
【手続補正５】
【補正対象書類名】明細書
【補正対象項目名】００１２
【補正方法】変更
【補正の内容】
【００１２】
更に、上記目的を達成するため、本発明の一側面におけるプログラムは、筆記者が使用するコンピュータによって、前記筆記者によって行なわれる要約筆記を支援するためのプログラムであって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる、ことを特徴とする。
【手続補正６】
【補正対象書類名】明細書
【補正対象項目名】００６３
【補正方法】変更
【補正の内容】
【００６３】
（付記１０）
筆記者が使用するコンピュータによって、前記筆記者によって行なわれる要約筆記を支援するためのプログラムであって、
前記コンピュータに、
（ａ）音声データを送信する情報配信装置から送信されてきた音声データを音声として再生する、ステップと、
（ｂ）前記音声データの品質を検出する、ステップと、
（ｃ）前記端末装置での音声再生の状況を検出する、ステップと、
（ｄ）前記（ｂ）のステップで検出された前記音声データの品質と前記（ｃ）のステップで検出された前記音声再生の状況とを特定する情報を、前記情報配信装置に送信する、ステップと、
を実行させる、プログラム。
【手続補正７】
【補正対象書類名】明細書
【補正対象項目名】００６４
【補正方法】変更
【補正の内容】
【００６４】
（付記１１）
前記（ａ）のステップにおいて、前記音声データの品質として、前記音声データのレベルを連続して検出し、
前記（ｂ）のステップにおいて、前記音声再生の状況として、前記端末装置におけるスピーカとの間での電気的接続の有無、及び前記端末装置における消音設定の有無を検出する、
付記１０に記載のプログラム。
【手続補正８】
【補正対象書類名】明細書
【補正対象項目名】００６５
【補正方法】変更
【補正の内容】
【００６５】
（付記１２）
前記（ｄ）のステップにおいて、前記（ｂ）のステップで検出された前記音声データの品質と前記（ｃ）のステップで検出された前記音声再生の状況とを特定する情報を、定期的に前記情報配信装置に送信する、
付記１０に記載のプログラム。
【国際調査報告】
2016114193.tif 000008
2016114193.tif 000009
2016114193.tif 000010
2016114193.tif 000011